Podtech/llm-jp-corpus-v4-ja_patent huggingface dataset:
(57)【要約】      （修正有）【課題】測定したデータを統計手法の講習会で使用することで、統計手法の講習会で学習した内容と、職場の状態との間に親しみやすさが出て統計手法が利用しやすくなる統計講習会用の測定物を提供する。【解決手段】１０〜１００個の識別番号の付された直方体からなる統計手法講習会用の測定物であって、直方体の縦は１５〜１００ｍｍで、横は２５〜２５０ｍｍで、高さは２０〜１８０ｍｍであるとともに、直方体の上部に凹部を有し、凹部の縦は１０〜８０ｍｍの間で異ならせ、凹部の横は２０〜２００ｍｍの間で異ならせ、凹部の深さは１５〜１５０ｍｍの間で異ならせてある各直方体の寸法と質量を測定し、統計手法の学習用データとする。【選択図】図１
0003212583.tif 000002
【実用新案登録請求の範囲】
【請求項１】
１０〜１００個の識別番号の付された直方体からなる統計手法講習会用の測定物であって、前記直方体の縦は１５〜１００ｍｍで、前記直方体の横は２５〜２５０ｍｍで、前記直方体の高さは２０〜１８０ｍｍであるとともに、前記直方体の上部に凹部を有し、前記凹部の縦は１０〜８０ｍｍの間で異ならせ、前記凹部の横は２０〜２００ｍｍの間で異ならせ、前記凹部の深さは１５〜１５０ｍｍの間で異ならせてある統計手法講習会用の測定物。
【考案の詳細な説明】
【技術分野】
【０００１】  本考案は、統計手法の講習会で学習したことを職場で活用しやすくするための統計手法講習会用の測定物に関する。
【背景技術】
【０００２】  統計手法の講習会で学習した内容が職場で使用できていない場合が散見されるが、その要因に講習会で使用する測定物と測定データが、パソコンでの発生や変形サイコロ、あるいはダーツゲームなど、及び文献のデータであるために、職場の製品の形状や大きさ、及び測定データの桁数の違いなどによる違和感があることが、講習会の参加者及び講習会へ派遣した管理者から聞かれる。
【考案の概要】
【考案が解決しようとする課題】
【０００３】  統計手法は、品質管理や計量管理において重要な知識及び、技術技能であり、統計手法の講習会で受講し内容が職場で使われないことは大きな課題である。従って、講習会で使用される測定物及びデータが職場で利用する場合と違和感を少ない測定物を統計手法の講習会に提供して課題を解決する。
【課題を解決するための手段】
【０００４】  本考案は上記課題を解決するためになされたもので、請求項１に記載の統計手法講習会用の測定物は、１０〜１００個の識別番号の付された直方体からなり、前記直方体の縦は１５〜１００ｍｍで、前記直方体の横は２５〜２５０ｍｍで、前記直方体の高さは２０〜１８０ｍｍであるとともに、前記直方体の上部には凹部が設けられ、前記凹部の縦は１０〜８０ｍｍの間で異ならせ、前記凹部の横は２０〜２４０ｍｍの間で異ならせ、前記凹部の深さは２〜１５０ｍｍの間で異ならせてあるから、講習会で本考案の測定物を使用すると測定データが統計手法で利用できると共に、職場との共通性が出て違和感が小さくなり課題が解決できる測定物。
【考案の効果】
【０００５】  違和感を少なくして親近感を持たせる方法は、コーチング技法ではアイスブレークと呼ばれる技法であり、また、社内教育でも取り入れられている方法であるので、本考案の測定物及びデータを使用して講習会を行うと、職場の測定物及びデータとの違和感が少なくなり親近感が得られて、統計手法の講習会で学習した内容が職場で利用しやすくなる。
【図面の簡単な説明】
【０００６】
【図１】本考案の測定物の直方体を示す図で、（ア）は上面図、（イ）は正面図、（ウ）は下面図、（エ）は側面図。
【図２】本考案の測定物を収納ケース５に収めた状態図。
【考案を実施するための形態】
【０００７】  図１を参照して本考案の測定物の使用する講習会の例を説明する。
本考案の測定物を使用する講習会の開催者は、講習会の開催案内に請求項１の中から使用する測定物を明記し、参加者を募集して講習会を開催する。例えば、図１の直方体１の縦が１５ｍｍで、前記直方体の横は２５ｍｍで、前記直方体の高さは２０ｍｍであると共に、前記直方体の上部には凹部４が設けられており、前記凹部４の縦は１０〜１３ｍｍの間で異ならせ、深さは２〜１８ｍｍの間で異ならせ、前記凹部４の横は２０〜２３ｍｍの間で異ならせた形状であるので、開催案内を理解した講習会の参加者は職場の状態と違和感のない学習をすることができる。
【０００８】  図１及び、図２を参照して本考案を使った統計的手法の講習方法を説明する。
１００個の本考案物を図２の収納ケースから図１の直方体を１０〜３０個取り出して、ノギスで寸法を測定し、デジタル秤で質量を測定してデータを得る。このデータには図１の凹部４の寸法の異なることにより変化が生じるので、下記１）〜９）の統計手法の講習で職場との共通性が生じて親しみやすさが生まれる。
１）分布図
２）範囲
３）分散
４）標準偏差
５）モード
６）中央値
７）質量と寸法の相関係数
８）推定、検定
９）その他
【符号の説明】
【０００９】  １直方体  ２識別番号  ３学習用測定物  ４凹部  ５収納ケース
【図１】
0003212583.tif 000003
【図２】
0003212583.tif 000004
(57)【要約】      （修正有）【課題】目立つことなく鼻腔に圧縮綿を施すことにより，鼻腔にほこりや花粉，ウィルス等の異物の侵入を防止できる鼻用黒コットンを提供する。【解決手段】綿の色を黒色とした上，圧縮の円筒形状とし，鼻中隔軟骨（外鼻孔内部の鼻中隔側に存する鼻腔内組織の盛り上がり部分）が外部から目立たないようにする。【選択図】図１
0003212570.tif 000002
【実用新案登録請求の範囲】
【請求項１】
綿の色を黒色とし，圧縮の円筒形状とする。
【考案の詳細な説明】
【技術分野】
【０００１】  本考案は，鼻腔に詰めて使用する圧縮綿に関するものである。
【背景技術】
【０００２】  専ら，アレルギー性鼻炎等の持病等を有する者につき，鼻腔に詰めてアレルギー物質の体内侵入及び鼻水の鼻腔からの漏出を防止する綿製の商品が存していたところ，従前の綿製品では白色に着色されていることから，鼻腔に綿を詰めている状況が外部から明白となり，顔ぼうの美観を著しく損ねる事態が生じており，これを不具合と感じる者が存した。
【考案の概要】
【考案が解決しようとする課題】
【０００３】  鼻腔に白色に着色された綿を詰めることにより顔ぼうの美観が著しく損ねられる事態を解決しようとするものである。
【課題を解決するための手段】
【０００４】  本考案は，鼻腔に詰める圧縮綿を黒色に着色し，かつ，円筒状に加工することで圧縮綿自体を目立たなくし，これを鼻腔に詰めることにより，上記課題を解決しようとするものである。
【考案の効果】
【０００５】  本考案に係る圧縮綿を鼻腔に詰めても，白色に着色された従来品に比して目立たないことから，顔ぼうの美観を著しく損なうことなく，快適な生活を送ることが可能となる。
さらに，圧縮綿自体が黒色に着色されていることから，鼻腔内の汚損状況をつぶさに確認することができ，従来品に比して衛生的に使用することが可能となる。
【図面の簡単な説明】
【０００６】
【図１】本考案に係る外観図である。
【図１】
0003212570.tif 000003
【手続補正書】
【提出日】平成29年6月30日(2017.6.30)
【手続補正１】
【補正対象書類名】実用新案登録請求の範囲
【補正対象項目名】全文
【補正方法】変更
【補正の内容】
【実用新案登録請求の範囲】
【請求項１】
綿の色を黒色とした上，圧縮の円筒形状とし，鼻中隔軟骨（外鼻孔内部の鼻中隔側に存する鼻腔内組織の盛り上がり部分）が外部から視認できる大きさを特徴とする鼻用黒コットン。
(57)【要約】      （修正有）【課題】手芸、工作、装飾などを行う需要者が色違いや模様違いの比較的短尺の紙バンドを必要分だけ購入でき、購買意欲をそそるようにするとともに、買い求めようとする各々の紙バンド本体の色、模様などが確認できる巻き込み紙バンドを提供する。【解決手段】色・模様違いで略等しい比較的短尺の紙バンド本体２ａ〜２ｅを複数本重ね、各々の色違い紙バンド本体の先端部３を内側の紙バンド本体から順にずれるように巻き込み、先端部を止着する。【選択図】図１
0003214047.tif 000002
【実用新案登録請求の範囲】
【請求項１】
色・模様違いで略等しい比較的短尺の紙バンド本体を複数本重ねて巻き込むようにして各々の色違い紙バンド本体の先端部を内側の紙バンド本体から順にずれるように巻き込みこの先端部を止着してなる巻き込み紙バンド。
【考案の詳細な説明】
【技術分野】
【０００１】
本考案は、主に夫々色違い、模様違いの紙バンドを使用する手芸材料や、これら色違い、模様違いの紙バンドを長短に切断し工作・装飾などに使用するに便利な巻き込み紙バンドを提供するものである。
【背景技術】
【０００２】
従来紙バンドは撚り紙紐を複数本接着剤により並接し、これを長尺の5〜50メートル位に巻き込み、これを単位として梱包、販売されているのが一般的である。然しこれらは単色や同一模様の紙バンドであるため少量しか必要のない需要者には不必要な分まで余計に購入したりすることが多く購入意欲を損なわせる結果となる。そこで手芸、工作、装飾などを行う需要者にあっては色違いや模様違いの比較的短尺の紙バンドを必要分だけ購入ができないかが望まれている。
【０００３】
又購入に際し、色違いや模様違いの紙バンドでもそれらの各々の側面と平面の色・模様が確認できるような巻き込み手段が望まれる。
【考案の概要】
【考案が解決しようとする課題】
【０００４】
そこで本考案は、色違い・模様違い(以下色違いと略称)で略等しい比較的短尺（40ｃｍ〜150ｃｍ）の紙バンド本体を複数本重ねて巻き込むようにして各々の色違い紙バンドの先端部が平面視できるようにしようとするものである。
【課題を解決するための手段】
【０００５】
色違いで略等しい比較的短尺の紙バンド本体を複数本重ねて巻き込むようにして各々の色違い紙バンド本体の先端部を内側の紙バンド本体から順にずれるように巻き込みこの先端部を止着してなるものである。
【考案の効果】
【０００６】
本考案の効果として、手芸、工作、装飾などを行う需要者にあっては色違いや模様違いの比較的短尺の紙バンドをできるだけ必要分だけ購入ができるようにして需要者の購買意欲をそそるようにするとともに、買い求めようとする巻き込まれた各々の紙バンド本体の色、模様などが確認できるようになる。
【図面の簡単な説明】
【０００７】
【図１】本考案に係る巻き込み紙バンドの斜視説明図
【図２】巻き込み紙バンドの先端部止着状態の平面説明図
【実施例】
【０００８】
本案を図示の実施例により詳記すると、色や模様違いの巾１０ｍｍ程の紙製テープを撚った撚り紐１，１，…を複数本(図では１２本)接着剤により並接して紙バンド本体2a,2b,2c,…2eを重ねて渦巻き状に巻き込み、この巻き込んだ紙バンド本体2a,2b,2c,…2eの先端部3,3,3…を内側の紙バンド本体2aから順にずれるようにして紙バンド本体2a,2b,2c,…2eの色や模様などを視認できるようにし、先端部3,3,3…が解れないように紐4により止着する。止着手段としては紐の他接着テープや巻き込み紙バンドの大きさに相応する箱などに入れるようにしてもよい。
【０００９】
紙製テープや撚り紐1,1，の数は使用目的により増減することは自由にでき、又紙バンド本体の色や模様は紙或いは紙テープ製造段階で施しても、又紙バンド本体の製造段階で施してもよい。
【符号の説明】
【００１０】
１：撚り紐
2a,2b,2c,…2e：紙バンド本体
３：先端部
４：紐
【図１】
0003214047.tif 000003
【図２】
0003214047.tif 000004
(57)【要約】      （修正有）【課題】服に合わて急いでピアスをかえる必要がある時、ピアスを変える事なくデザインをプラスする事が出来るピアスとジュエリーの組み合わせを提供する。【解決手段】ジュエリー５が、ピアスの先頭装飾部分の付け根に巻き付け組み合わせる部分２と、巻き付け組み合わせる部分に開け閉め調節部分４を有する。【選択図】図１
0003214071.tif 000002
【実用新案登録請求の範囲】
【請求項１】
0003214071.tif 000004
固定出来る事を特微とする、ピアス、イヤリング  プラス  ジュエリー  アクセサリー，
【請求項２】
２で１を出し入れ出来円を開閉凸凹部分を作り固定する事も出きる事を特微とするピアス、イヤリング、プラス  ジュエリー  アクセサリー
【考案の詳細な説明】
【技術分野】
【０００１】本考案はアクセサリー  ジュエリー  ピアス、イヤリングに関するものである。
【背景技術】
【０００２】ピアス、やイヤリングのデザインなど少しかえたい時など付けているのを取りはずしてから、付けなおさないといけませんでした。
【考案の概要】
【考案が解決しようとする課題】
【０００３】
0003214071.tif 000003
ピアス、イヤリングも服に合わせて少し華やかさをます。デザインの方が良くてもてまがかかり出来ない時がありました。
【課題を解決するための手段】
【０００４】１をピアス、イヤリングの表にかけ、２でしめるだけでセット出来ます。
【図面の簡単な説明】
【０００６】
【図１】
【考案を実施するための形態】
【実施例】
【０００７】図１はピアス、イヤリング  プラス  ジュエリー  アクセサリーの正面図、１はピアス  イヤリング表面をつつむ部分、２は１をしぼり込み開閉め調節出来固定出来ます。
【符号の説明】
【０００８】１．ピアス  イヤリング表面奥を、つつむ部分２．開け閉め出来固定出来ます。しぼり込む事が出来ます。開け閉め調節部分。
【図１】
0003214071.tif 000005
【手続補正書】
【提出日】平成29年2月17日(2017.2.17)
【手続補正１】
【補正対象書類名】実用新案登録請求の範囲
【補正対象項目名】全文
【補正方法】変更
【補正の内容】
【実用新案登録請求の範囲】
【請求項１】
ピアスとジュエリーの組み合わせであって、前期ジュエリーはチェーンを引っ張る部分をゆうする事を特徴とする、前期組み合わせ。
【請求項２】
耳の前に留め金が固定できる事を特徴とした請求項１記載のピアスとジュエリーの組み合わせ。
【手続補正３】
【補正対象書類名】明細書
【補正対象項目名】全文
【補正方法】変更
【補正の内容】
【考案の詳細な説明】
【技術分野】
【０００１】  本考案はアクセサリージュエリーの中で体に付けたり耳に付けているかピアスの中でも飾りの付いていないピアスに関するものである。
【背景技術】  普段、家に居るとき、普段、仕事をしている時など、飾りの少ない普段使いのピアスを日頃付けています。家に居るときも用事を済ませ突然のおよばれに出かけないと行けない時又仕事が終わってから、出かけないといけない所などある時、行く場所により適切適合なふいんきが必要な時があり、普段使いのピアスよりは、少し華やかさが有ったほうが明るくなるような感じの、ピアスに変えたほうが良い時などは、
【考案の概要】
【考案が解決しようとする課題】
【０００３】  ピアスをもひとつ明るめのピアスに変えて急いで後ろの留め金を鏡を見て留めようとしますが鏡には、後ろの留め金が見えません。手探りの感覚だけで留めなければいけません、ピアスの後ろの留め金を確実に早く留めるように出来るようになる為には、慣れるまで少し時間がかかるということと、後ろの留め金を止める時後ろの留め金は、鏡に映らないので、手探りで留め金に留める時、転がってしまい、探さないといけない時など時間がかかり困ってしまう時があります。
【課題を決するための手段】
【０００４】  通常のピアスを留める時、後ろの留め金が鏡に映りません、セットする時に鏡に映り、正面に留金が見えるように確認しながらセットできるようにします。、
【考案の効果】
【０００５】  急いでいるときも、鏡に映るように前でピアスにセットできるように、正面のピアスの先端トップ部分に合わせてセット出来るようします。いつも付けているピアスをより明るく好みに変化することも出来るようになります。
【図面の簡単な説明】
【０００６】
【図１】ピアスとジュエリー正面図
【図２】ピアスとジュエリー１・２・３拡大図
【考案を実施するための形態】
【実施例】
【０００７】  図１は、ピアスとジュエリー正面図です。ピアス正面先端トップにチェーンを巻きつけチェーンを３に通してチェーンを伸縮してしめます。【０００８】  図２は、宝石・貴金属何レーンタイプでも出来ます。
【符号の説明】
【０００９】１．ピアスとジュエリーリング２．ピアスとジュエリーチェーン３．ピアスとジュエリーリング持ち４．ピアスとジュエリーチェーンー調節板５．宝石部分又デザイン貴金属部分（チェーンの部分もデザインを入れることも出来ます。）
【手続補正４】
【補正対象書類名】図面
【補正対象項目名】全図
【補正方法】変更
【補正の内容】
【図１】
0003214071.tif 000006
【図２】
0003214071.tif 000007
【手続補正書】
【提出日】平成29年6月7日(2017.6.7)
【手続補正１】
【補正対象書類名】実用新案登録請求の範囲
【補正対象項目名】全文
【補正方法】変更
【補正の内容】
【実用新案登録請求の範囲】
【請求項１】
ピアスとジュエリーの組み合わせであって、前記ジュエリーはピアスにチェーンを巻いてチェーンを引っ張る部分をゆうする事を特徴とする前記組み合わせ。
【請求項２】
耳の前に留め金が固定出来る事を特徴とした請求項１記載のピアスとジュエリーの組み合わせ。
【手続補正書】
【提出日】平成29年8月17日(2017.8.17)
【手続補正１】
【補正対象書類名】実用新案登録請求の範囲
【補正対象項目名】全文
【補正方法】変更
【補正の内容】
【実用新案登録請求の範囲】
【請求項１】
ピアスとジュエリーの組み合わせであって、前記ジュエリーは、ピアスの先頭、装飾部分の付け根に巻き付け組み合わせる部分と前記巻き付け組み合わせる部分に開け閉め調節部分を特徴とする前記記載の組み合わせ。
【手続補正書】
【提出日】平成29年10月10日(2017.10.10)
【手続補正１】
【補正対象書類名】実用新案登録請求の範囲
【補正対象項目名】全文
【補正方法】変更
【補正の内容】
【実用新案登録請求の範囲】
【請求項１】
ピアスとジュエリーの組み合わせであって、前記ジュエリーは、ピアスの先頭装飾部分の付け根に巻き付け組み合わせる部分と、前記巻き付け組み合わせる部分に開け閉め調節部分を有することを特徴とする、前記組み合わせ。
(57)【要約】      （修正有）【課題】尿の吸水パットを、使いやすいように両端にポケットを設けた、ポケットつき吸水パットを提供する。【解決手段】パットの本体１の両端にポケット２、３を設けた。使用する時は、パット本体１と一体となった一方のポケット３を使って装着し、使用後、他方のポケット２を使って取り出す。【選択図】図１
0003214077.tif 000002
【実用新案登録請求の範囲】
【請求項１】
パット本体▲１▼の両端に▲２▼ポケットと▲３▼ポケットを設けたポケットつき吸水パット。
【考案の詳細な説明】
【技術分野】
【０００１】  この発明は尿の吸水パットに関するものである。
【背景技術】
【０００２】  従来、パットはブリーフと１対だったので使用後も穿いたままだった。
【先行技術文献】
【０００３】
【特許文献１】
【考案の概要】
【考案が解決しようとする課題】
【課題を解決するための手段】
【０００４】  吸水パットはブリーフと一体化の為、使用後も穿き続けるため蒸れたり、匂ったりして不衛生だった。
本発明は以上のような欠点をなくすためになされたものである。
【課題を解決するための手段】
【０００５】  パットの▲１▼の両端イとロにポケットを設ける。
本発明は以上の構成よりなるポケット付きパットである。
【考案の効果】
【０００６】    パットがブリーフと一体化していないので必要時に装着し、使用後ただちに外すことが可能である。
【図面の簡単な説明】
【０００７】
【図１】
0003214077.tif 000003
【図２】
0003214077.tif 000004
【考案を実施するための形態】
【０００８】    パット▲１▼の本体の両端に▲２▼ポケットと▲３▼ポケットをつけ固定する。本発明は以上のような構造である。
これを使用する時はパット本体と一体となったポケット▲３▼を使って装着し使用後ポケット▲２▼を使って取り出せば完了である。
【符号の説明】
【０００９】    １  パット本体
２  ポケット
３  ポケット
４  吸水面
【図１】
0003214077.tif 000005
【図２】
0003214077.tif 000006
【手続補正書】
【提出日】平成29年10月24日(2017.10.24)
【手続補正１】
【補正対象書類名】明細書
【補正対象項目名】０００７
【補正方法】変更
【補正の内容】
【０００７】
【図１】本実用新案の斜視図である。
【図２】本実用新案の断面図（装着時）である。
(57)【要約】      （修正有）【課題】犬や猫等のペットの部屋間の移動や屋内外の出入りにおいて、壁やドアの一部に開けた開口部に簡単に取り付けることができ、ペットが体を傷つけることなく安全に通過できるペット用出入口を提供する。【解決手段】本考案のペット出入口１０は、ドアや壁等に設けた開口部にはめ込むラバー製の外枠部１１と、ペットが通過するためのラバー製の扉１２とを一体化した構成としており、また扉の一部に進行方向先確認用の窓１３を有している。【選択図】図１
0003214228.tif 000002
【実用新案登録請求の範囲】
【請求項１】
ラバー製の外枠部と、前記外枠部と一体となったラバー製の扉で構成され、前記外枠部は壁やドアに開けた矩形状の開口部にはめ込む事ができ、前記扉は普段は閉まった状態でありペットが通る際にはペットの力によって開閉することが可能であることを特徴とするペット用出入口。
【請求項２】
請求項１に記載のペット用出入口であって、扉の一部に進行方向先確認用の窓を有することを特徴とするペット用出入口。
【考案の詳細な説明】
【技術分野】
【０００１】
本考案は、ペットが屋内の部屋間の移動、あるいは屋内外の出入りを行う際に使用するペット用出入口に関する。
【背景技術】
【０００２】
従来、小型犬や猫などのペットが部屋間を移動する方法としては、ペットの移動の際に人間が部屋のドアを開け閉めする方法や、ドアを半開きにしておく方法等があったが、ペットの移動の際に人間ドアを開け閉めする方法ではペットの移動の度に開け閉めが必要となるので手間がかかり、またドアを半開きにしておく方法では冷暖房の効率が悪くなる等の問題があった。これらの問題を解決するために、壁やドアの一部にペット通行用の開口部を設け、開口部に扉を取り付ける方法があるが、ペットが扉に挟まったり、扉に頭や鼻をぶつけて傷つく危険性があった。また、普段は扉が閉まっているため、ペットが進行方向先を確認することができず、出入口を通ることを躊躇してしまうという問題があった。なお、ペットが扉に挟まったり、頭や鼻を扉にぶつける問題を解決する方法としては、特開２０１１−１６７１７９号公報記載のペット用出入口がある。
【０００３】
この特開２０１１−１６７１７９号公報記載のペット用出入口は、扉の部分を柔らかい素材（布製）とすることにより、ペットが挟まったり、頭や鼻をぶつける危険性を回避するものであるが、ペットが布にからまってしまう等の危険性があり、また布が汚れてしまうので清潔面での問題もある。
【先行技術文献】
【特許文献】
【０００４】
【特許文献１】特開２０１１−１６７１７９号公報
【考案の概要】
【考案が解決しようとする課題】
【０００５】
本考案は、上記課題を解決するためのものであり、人間の手間をかけずにペットの部屋間の移動や屋内外の出入りを可能とし、またペットが出入口の扉に挟まったり頭や爪をぶつけ怪我をする危険性を回避し、更にペットが出入口を通る際の進行方向先の確認を可能とすることを目的としたものである。
【課題を解決するための手段】
【０００６】
本考案は上記課題を解決するため、ドアや壁等に設けた開口部にはめ込むラバー製の外枠部と、ペットが通過するためのラバー製の扉とを一体化した構成としており、また扉の一部に進行方向先確認用の窓を有している。
【考案の効果】
【０００７】
本考案は、ラバー製であるため、壁やドアに設けた開口部に簡単にはめこむことができ、またペットが移動の際に扉に挟まったり、頭や爪をぶつけて怪我をする危険性が無く、ペットの体にからまったりすることもない。また、進行方向先確認用の窓があることにより、ペットが躊躇することなく安心して通ることができる。
【図面の簡単な説明】
【０００８】
【図１】本考案のペット用出入口の概略斜視図
【図２】本考案のペット用出入口の扉が開いた状態の概略斜視図
【図３】本考案のペット用出入口をドアに取り付けた状態の概略斜視図
【考案を実施するための形態】
【０００９】
以下、添付図面を参照して本考案のペット用出入口の実施の形態について説明する。
図１に示すように、ペット用出入口は、外枠部１１と扉１２が一体となっており、通常は扉１２は閉まった状態となっているいる。
【００１０】
ペットは、ペット用出入口１０を通る前に扉１２の窓１３を通して進行方向図先を確認することができる。ペットが通る際は図２に示すように扉１２は上に押し上げられ、ペットが通った後は閉まるようになっている。
【００１１】
ペット用出入口１０は外枠部１１によりドアや壁に開けた矩形状の開口部に簡単にはめ込むことができる。図３はペット用出入口１０をドアに開けた矩形状の開口部にはめ込んだ場合の状態図である。
【符号の説明】
【００１２】
１０ ペット用出入口
１１ ペット用出入口の外枠部
１２ ペット用出入口の扉
１３ ペット用出入口の窓
２０ ドア 
【図１】
0003214228.tif 000003
【図２】
0003214228.tif 000004
【図３】
0003214228.tif 000005
(57)【要約】      （修正有）【課題】保護層の抗張性を向上させる弾性帯の保護層構造の改良を提供する。【解決手段】二層織物を織る方法を利用して、保護糸材１０が弾性糸材３０を被覆するように編成される弾性帯において、高抗張力糸材２０を保護糸材中に編み込んで保護層とする。弾性帯が外力により引き伸ばされた場合、保護層によって制限されて弾性糸材が弾性降伏限内に保持されることにより、引張力を保護層で受け止めることができ、保護層に高抗張力糸材が編み込まれているので、弾性帯の使用強度を高め、さらに使用者の安全性を高めることができる。【選択図】図１
0003214239.tif 000002
【実用新案登録請求の範囲】
【請求項１】
保護糸材と、高抗張力糸材と、弾性糸材とを備える弾性帯の保護層構造の改良であって、
前記保護糸材と前記高抗張力糸材とが二層織物法により混織されて中空状の保護層になされ、前記弾性糸材が保護層の中空部内に編み込まれており、保護層で被覆されていることを特徴とする、弾性帯の保護層構造の改良。
【請求項２】
前記高抗張力糸材を多種多層に増加して保護層に編み込むことで、引張強度を増大させることを特徴とする、請求項１に記載の弾性帯の保護層構造の改良。
【考案の詳細な説明】
【技術分野】
【０００１】
本考案は、弾性帯の保護層構造の改良を提供し、特に、保護層の抗張性を向上させる構造の改良を提供し、それは、主に、弾性帯にて二層織物を織る方法を利用して保護糸材と弾性糸材とに、保護糸材が弾性糸材を被覆するように編成されるとき、高抗張力糸材を加えてその高抗張力糸材を保護糸材中に編み込んで保護層になり、弾性帯が外力により引き伸ばされた場合、保護層によって制限されて弾性糸材を弾性降伏限内に保持させることにより、引張力を保護層で受け止めるように転嫁することができ、保護層に高抗張力糸材が編み込まれているので、弾性帯の使用強度を高め、さらに使用者の安全性を高めることができる。ここでの弾性帯は弾性ロープであってもよい。
【背景技術】
【０００２】
従来の弾性帯（または弾性ロープ）は、その伸縮可能な機能を、例えば、工業用具の連結、またはキャンプテントの固定および安全綱などの多方面に運用可能である。弾性帯（または弾性ロープ）が引っ張られてその強度を超えて断裂してしまうのを防止するために、従来の弾性帯（または弾性ロープ）が引張力により伸張された後の長さを、一定の限度内に制限しなければならない。当業界はこの問題を解決するために、先行の固有技術を運用して二層織物法により位置制限長さを有する弾性帯を織り出し、その作業法については、添付特許文献１である台湾実用新案登録第Ｍ４１６６４４号明細書を参照して説明することができる。最大引伸度合いに制限する機能を有する安全弾性引張ロープは、この作業法により達成されるものである。しかし、この従来品は、依然として以下の欠点を有し実用に適さないおそれがあり、最大引伸度合いに制限があるものの、伝統的な糸線保護層の強度がそれほど高くないため、使用過程において高強度の引張力が突然出現すると、断裂の危険性を有する。とりわけ、安全性を求める環境において使用する場合では、従来品は使用に堪えないものとなってしまう。
【先行技術文献】
【特許文献】
【０００３】
【特許文献１】台湾実用新案登録第Ｍ４１６６４４号明細書
【考案の概要】
【考案が解決しようとする課題】
【０００４】
本考案は、弾性帯（または弾性ロープ）の保護層構造の改良を提供することを目的とする。
【課題を解決するための手段】
【０００５】
本考案の主な目的を達成するために、弾性帯（または弾性ロープ）にて二層織物を織る方法を利用して保護糸材と弾性糸材とに、保護糸材が弾性糸材を被覆するように編成されるとき、高抗張力糸材を加えてその高抗張力糸材を保護糸材中に編み込んで保護層になり、弾性帯（または弾性ロープ）が外力により引き伸ばされた場合、保護層によって制限されて弾性糸材を弾性降伏限内に保持させることにより、引張力を保護層で受け止めるように転嫁することができる。
【考案の効果】
【０００６】
本考案によれば、保護層に高抗張力糸材が編み込まれているので、より高い引張力に抵抗できることから、弾性帯（または弾性ロープ）の使用強度を高め、さらに使用者の安全性を高めることができる。
【図面の簡単な説明】
【０００７】
【図１】本考案の模式図である。
【図２】本考案の端面の断面模式図である。
【図３】本考案の側方向の断面模式図である。
【考案を実施するための形態】
【０００８】
以下、具体的な実施例を列挙しながら、添付図面を参照して詳細に説明する。図１〜図３に示すように、本考案は、保護糸材１０と、高抗張力糸材２０と、弾性糸材３０とを備え、二層織物法により保護糸材１０と高抗張力糸材２０とが保護層に織成されると共に、その中に弾性糸材３０が編み込まれて被覆される。
【実施例】
【０００９】
上述した材料で編み込んでなり、図３に示すように、保護糸材１０と高抗張力糸材２０とから織成される保護層で弾性糸材３０を被覆するとき、弾性糸材３０の自由長さに基づいて適度に長さを延長して皺曲状に形成され、弾性糸材３０が上限値まで伸長すると、保護層によって弾性糸材３０が継続的に伸長するのを制限することができると共に、受けた引張力を保護層で受け止めることができ、保護層内の高抗張力糸材２０によって比較的に高い引張力を受けて止めて、弾性帯（または弾性ロープ）全体の強度と安全度を増大させることができる。
【産業上の利用可能性】
【００１０】
以上を総合すると、本考案は、従来品と比較した結果、従来品よりも優れた下記の利点を有する。
弾性帯（または弾性ロープ）が外力により引き伸ばされた場合、保護層によって制限されて弾性糸材を弾性降伏限内に保持させることにより、引張力を保護層でその力の加減を受け止めるように転嫁することができ、保護層に高抗張力糸材が編み込まれているので、弾性帯（または弾性ロープ）の使用強度を高めて、より優れた安定性と安全性を有する。
【符号の説明】
【００１１】
１０：保護糸材
２０：高抗張力糸材
３０：弾性糸材
【図１】
0003214239.tif 000003
【図２】
0003214239.tif 000004
【図３】
0003214239.tif 000005
(57)【要約】【課題】排気を浄化する排気浄化装置を安価に提供すること。【解決手段】煙突の下方に設置する排気浄化装置であって、煙突の外周を覆う周壁部の内部に浄化層を設けてあり、浄化層は複数の階層を積層して構成してあり、各階層は排気が流通可能に互いに連通しているとともに土壌を充填してあり、浄化層の最下層には焼却炉から放出される排気を取り込む流入口を備え、最上層には浄化した排気を煙突内へ放出する排出口を備え、流入口と排出口の間において、煙突内部は閉塞してある。【選択図】      図２
0003214281.tif 000002
【実用新案登録請求の範囲】
【請求項１】
煙突の下方に設置する排気浄化装置であって、
煙突の外周を覆う周壁部の内部に浄化層を設けてあり、浄化層は複数の階層を積層して構成してあり、各階層は排気が流通可能に互いに連通しているとともに土壌を充填してあり、
浄化層の最下層には焼却炉から放出される排気を取り込む流入口を備え、最上層には浄化した排気を煙突内へ放出する排出口を備え、
流入口と排出口の間において、煙突内部は閉塞してあることを特徴とする排気浄化装置。
【考案の詳細な説明】
【技術分野】
【０００１】
本考案は、煙突に取り付ける排気浄化装置に関する。
【背景技術】
【０００２】
発明者は以前、納屋に数年積んだままのもみ殻を、収穫後の畑に運び、山積みにして焼却した。しかしそのもみ殻は数年積んだままに放置してあったことから、ねずみなどの動物の糞尿が混入しており、夥しい煙に加えて悪臭が発生し、近隣に迷惑を与える結果となった。そして、焼却を中止しようと畑の土をもみ殻の山に覆い被せた結果、煙の発生が止まり、しかも悪臭が消えた。発明者は当然消火したものと確信していたが、一昼夜過ぎてから確認したところ、当初積んだ山の嵩が小さく、被せた土を取り除いて見ると、もみ殻が黒く炭化していた。尚、土の被せ方は、スコップで掬った土の塊を順次載せたのみであったことから、空気（酸素）の流通があり消火されずに燃え続けたものと思われる。確実に燃焼し続け、しかもその間に悪臭もなく、黒煙も見られなかったことに着目し、土に排気ガスに対する浄化作用があることを確認した。
【考案の概要】
【考案が解決しようとする課題】
【０００３】
従来の焼却炉に於いては、完全燃焼に至らない場合、不完全燃焼によって煙や有害ガス、灰塵等が発生し、周辺住民の健康を損なうおそれや、環境汚染のもととなるおそれがあった。しかしながら、完全燃焼させるには約１０００度という非常に高温な状態を長時間保つ必要があり、大きな設備でなければ困難なことであった。
【０００４】
本考案は、煙や有害ガスを除去する排気浄化装置を提供することを目的とする。
【課題を解決するための手段】
【０００５】
本考案は、煙突の下方に設置する排気浄化装置であって、煙突の外周を覆う周壁部の内部に浄化層を設けてあり、浄化層は複数の階層を積層して構成してあり、各階層は排気が流通可能に互いに連通しているとともに土壌を充填してあり、浄化層の最下層には焼却炉から放出される排気を取り込む流入口を備え、最上層には浄化した排気を煙突内へ放出する排出口を備え、流入口と排出口の間において、煙突内部は閉塞してあることを特徴とする。
【考案の効果】
【０００６】
本考案によれば、焼却炉から放出される排気は、煙突の上昇気流に引っ張られることにより、流入口から浄化層内部に流入し、土壌が充填された各階層を通過することにより、煙や有害ガスが除去され、最終的に排出口から煙突内部へ浄化された排気が放出されるため、環境汚染防止に多大な効果を奏するものである。また、浄化層に土壌を充填することによって排気を浄化するため、安価に提供可能である。
【図面の簡単な説明】
【０００７】
【図１】排気浄化装置の正面図である。
【図２】排気浄化装置の縦断面図である。
【図３】図１のＡ−Ａ線断面図である。
【考案を実施するための形態】
【０００８】
以下、本考案の実施の形態を図面に基づいて説明する。
本発明の排気浄化装置は、煙突Ｙの下方に設置するものであって、煙突Ｙの外周を覆う周壁１の内部に浄化層２が設けてある。煙突Ｙの上方に設けることも可能であるが、煙突Ｙの強度や、排気浄化装置の重量を考慮すれば、煙突Ｙの下方に設けるのが最適である。
【０００９】
周壁１は、煙突Ｙの外周を取り囲むように平面視コ字形状をなし、周壁１の内部には煙突Ｙの外壁との間に浄化層２を設けてある。浄化層２は上下に複数の階層を積層して形成してあり、各階層は排気が流通可能に連通してある。また、各階層には土壌３が充填されている。
【００１０】
土壌３として、畑の土、山砂、川砂、塩分を除去した海砂等を使用することが可能であり、これらを組み合わせたものを用いてもよい。しかしながら、粘土質の土壌は排気の透過性が悪いため用いることができない。
【００１１】
浄化層２の最下層には焼却炉Ｘから放出される排気を取り込む流入口４を備える。流入口４は、煙突Ｙの側壁を挿通して浄化層２内部に達する。流入口４より上方には、煙突Ｙ内部を閉塞する閉鎖板６が設けてある。そのため、焼却炉Ｘから放出された排気は、煙突Ｙの入口部を通り、閉鎖板６によって煙突Ｙ上方への流入を阻まれるとともに、煙突Ｙの上昇気流によって流入口４から浄化層２内へと導かれる。
【００１２】
浄化層２の各階層の内壁面には、外周側から内周側へ向かって低くなるように傾斜する傾斜部材７が設けてある。
【００１３】
流入口４から浄化層２内へと導かれた排気は、各階層内に拡散しながら上層階へと浸透する。最上層には浄化した排気を煙突Ｙ内へ放出する排出口５を備える。排出口５は、浄化槽２から煙突Ｙの側壁を挿通するように設けてある。浄化層２の最上層へ達した排気は、煙突Ｙの上昇気流によって排出口５から煙突Ｙ内へ導かれ、煙突Ｙ内を上昇して外部へ排出される。
【００１４】
閉鎖板６は、煙突Ｙ内部を閉塞するものであるが、流入口４より上方、かつ、排出口５より下方に設けてあることによって、焼却炉Ｘから放出された排気が、そのまま煙突Ｙ内を上昇することなく、図２中矢印で示すように、流入口４から浄化層２内に流入し、排出口５から再度煙突Ｙ内に導かれるため、排気を確実に浄化することができる。
【００１５】
本考案は上記実施形態に限定されるものではなく、その趣旨を逸脱しない範囲において適宜変更可能である。
【符号の説明】
【００１６】
１    周壁部
２    浄化層
３    土壌
４    流入口
５    排出口
６    閉塞板
７    傾斜部材
Ｘ    焼却炉
Ｙ    煙突
【図１】
0003214281.tif 000003
【図２】
0003214281.tif 000004
【図３】
0003214281.tif 000005
(57)【要約】      （修正有）【課題】使用寿命の問題を解決すると同時に、共振技術を使用することにより、クイックスタートを実現し、良い応答速度を得るマイクロリニア振動子を提供する。【解決手段】基板１、基板１に固定されるプリント基板２、コイル３、磁性鋼４、シールド５、接続片７、支持フレーム１０および上部カバーを備える。コイル３はプリント基板２上に固定され、コイル３の接続端はプリント基板２に溶接してステータを形成し、磁性鋼４、シールト５、ウエイト６および接続片７は下から上に順次に接続して振動子を形成し、接続片７と支持フレーム１０との間にばね板８が接続され、振動子および支持フレーム１０が固有振動数を有する機械振動ユニットを構成する。【選択図】図１
0003214266.tif 000002
【実用新案登録請求の範囲】
【請求項１】
基板、基板に固定されるプリント基板、コイル、磁性鋼、シールド、接続片、支持フレームおよび上部カバーを備えるマイクロリニア振動子であって、
前記コイルは前記プリント基板上に固定され、前記コイルの接続端は前記プリント基板に溶接してステータを形成し、
前記磁性鋼、前記シールトおよび前記接続片は下から上に順次に接続して振動子を形成し、前記接続片と前記支持フレームとの間にばね板が接続され、前記振動子および前記支持フレームが固有振動数を有する機械振動ユニットを構成することを特徴とする、マイクロリニア振動子。
【請求項２】
前記コイルは前記プリント基板に接着することを特徴とする、請求項１に記載のマイクロリニア振動子。
【請求項３】
前記磁性鋼、前記シールドおよび前記接続片は、下から上に順次にリベット留めされ、且つ前記シールドの周りにウエイトがリベット留めされることを特徴とする、請求項１または２に記載のマイクロリニア振動子。
【請求項４】
前記振動子と前記プリント基板との間に緩衝綿が接続されることを特徴とする、請求項１〜３のいずれか１項に記載のマイクロリニア振動子。
【考案の詳細な説明】
【技術分野】
【０００１】
本考案は振動子分野に係わり、具体的には一種のマイクロリニア振動子に関する。
【背景技術】
【０００２】
触覚フィードバックに使用される従来のマイクロ振動子は、主に直流モータが駆動する偏心回転によって生じた振動によって実現する。しかし、直流モータはブラシを介して方向を変換するため、その寿命はブラシに制限され、２００時間を超えることは難しい。
【０００３】
マイクロブラシレスモーター振動子はその寿命の問題を解決したが、始動時間が長く、応答速度が遅く且つフィードバック遅延が存在するため、その応用が制限される。
【考案の概要】
【考案が解決しようとする課題】
【０００４】
本考案の目的は、一種のマイクロリニア振動子を提供し、触覚フィードバックを提供するゲームコンソールまたは他のハンドヘルド装置に使用することができる。
【０００５】
本考案の技術案は以下の通り：
【０００６】
基板、基板に固定されるプリント基板、コイル、磁性鋼、シールド、接続片、支持フレームおよび上部カバーを備えるマイクロリニア振動子であって、前記コイルは前記プリント基板上に固定され、前記コイルの接続端は前記プリント基板に溶接してステータを形成し、前記磁性鋼、前記シールトおよび前記接続片は下から上に順次に接続して振動子を形成し、前記接続片と前記支持フレームとの間にばね板が接続され、前記振動子および前記支持フレームが固有振動数を有する機械振動ユニットを構成する。
【０００７】
前記マイクロリニア振動子の特徴は：前記コイルは前記プリント基板に接着する。
【０００８】
前記マイクロリニア振動子の特徴は：前記磁性鋼、前記シールドおよび前記接続片は、下から上に順次にリベット留めされ、且つ前記シールドの周りにウエイトがリベット留めされる。
【０００９】
前記マイクロリニア振動子の特徴は：前記振動子と前記プリント基板との間に緩衝綿が接続される。
【考案の効果】
【００１０】
本考案の利点は：
本考案がリニアモータ（ブラシレス）の原理を使用することにより、使用寿命の問題を解決すると同時に、共振技術を使用することにより、クイックスタートを実現し、良い応答速度を得るため、応答遅延の問題を解決する。
【図面の簡単な説明】
【００１１】
【図１】図１は本考案の構造概略図である。
【図２】図２は本考案の構造分解図である。
【考案を実施するための形態】
【００１２】
図１、図２を参照し、基板１、基板１に固定されるプリント基板２、コイル３、磁性鋼４、シールド５、ウエイト６、接続片７および支持フレーム１０を備えるマイクロリニア振動子であって、コイル３はプリント基板２上に固定され、コイル３の接続端はプリント基板２に溶接してステータを形成し、磁性鋼４、シールト５および接続片７は下から上に順次に接続して振動子を形成し、接続片７と支持フレーム１０との間にばね板８が接続され、振動子および支持フレーム１０が固有振動数を有する機械振動ユニットを構成する。
【００１３】
本考案において、コイル３はプリント基板２上に接着する。
【００１４】
磁性鋼４、シールド５および接続片７は、下から上に順次にリベット留めされ、且つ前記シールド５の周りにウエイト６がリベット留めされる。
【００１５】
振動子とプリント基板２との間に緩衝綿９が接続される。
【実施例】
【００１６】
以下、添付図面を参照しながら本考案をさらに説明する：
【００１７】
本考案の固有振動数の範囲は、１５０Ｈｚ〜２５０Ｈｚである。コイル３は磁性鋼４とシールド５からなる磁界の中にあり、コイル３に通電すると、発生するアンペア力が振動子を吸引または反発して振動子を運動させる。コイル３に矩形波直流電で通電すると、電源パルスの周波数が機械振動ユニットの固有振動数と一致すると、共振振動が発生し、機械振動ユニットの振動が外部に伝導し、触覚フィードバックの効果を達成する。コイル３には、単方向型矩形波パルス直流電および双方向型正負矩形波パルス直流電を通電することができ、そのうち、コイル３に双方向型正負矩形波パルス直流電で通電する時は、単方向矩形波パルス直流電で通電する時より強い振動が得られる。
【符号の説明】
【００１８】
１    基板
２    プリント基板
３    コイル
４    磁性鋼
５    シールド
６    ウエイト
７    接続片
８    ばね板
９    緩衝綿
１０    支持フレーム
【図１】
0003214266.tif 000003
【図２】
0003214266.tif 000004
(57)【要約】      （修正有）【課題】道路を走行中の車両の車間距離が縮まった場合に、後続の大型車両の運転者が前車の尾灯及び制動灯の光を視認できなくなる死角を解消して、追突事故を防止するテールライトを提供する。【解決手段】自動車及び自動二輪車の尾灯及び制動灯１の後部に、反射板２を水平に近い角度で設置することで、尾灯及び制動灯１の光が反射板２で反射して、後方の大仰角へも照射されるので、車両の車間距離が縮まった場合でも、この光を、後続の大型車両の運転者３が視認することができる。【選択図】図１
0003214203.tif 000002
【実用新案登録請求の範囲】
【請求項１】
水平に近い角度に設置された反射板を備え、光を後方の大仰角へも照射させることを特徴とするテールライト。
【考案の詳細な説明】
【技術分野】
【０００１】
本考案は、運転者の視認性を向上する自動車及び自動二輪車の尾灯及び制動灯（テールライト）に関するものである。
【背景技術】
【０００２】
自動車及び自動二輪車の尾灯及び制動灯は、道路運送車両の保安基準において、その光が、後方の仰角１５度、俯角１５度の範囲に照射されることが要求されている。
【先行技術文献】
【特許文献】
【０００３】
【特許文献１】特開２０１４−１３７９２３号公報
【考案の概要】
【考案が解決しようとする課題】
【０００４】
大型車両が前車に追突する交通事故が後を絶たない。
大型車両は、その運転席が地上から高い位置にあるため、前車との車間距離が縮まった場合に、運転者が前車の尾灯及び制動灯を視認できなく死角がある。
【０００５】
１例として、前車の尾灯及び制動灯の取り付け位置が地上から０．８ｍ、後続の大型車両の運転者の目の高さが地上から２．２ｍである場合に、両車の車間距離が約５．２ｍ以下に縮まると、前車の尾灯及び制動灯が見えなくなることが実測により確認されている。
【課題を解決するための手段】
【０００６】
本考案は、前記の課題を解決するための手段として、尾灯及び制動灯の後部に、水平に近い角度で反射板を設置することを最も主要な特徴とする。
【考案の効果】
【０００７】
自動車及び自動二輪車の尾灯及び制動灯の後部に、水平に近い角度で反射板を設置することで、尾灯及び制動灯の光が反射板で反射して、後方の大仰角へも照射されることから、後続の大型車両の運転者の視認性が向上する。
【０００８】
また、従来の尾灯及び制動灯の光源、屈折器及び反射器等を改造することなく、光を後方の大仰角へも照射させるという目的を、最小の部品点数で実現する。
【図面の簡単な説明】
【０００９】
【図１】図１は本考案の実施方法を示した説明図である。（実施例１）
【考案を実施するための形態】
【００１０】
尾灯及び制動灯の後部に、水平に近い角度で反射板を設置する。
【実施例】
【００１１】
図１は本考案の１実施例として、前車と後続の大型車両との車間距離が縮まった状態の断面図である。
【００１２】
従来の尾灯及び制動灯１の光は、４に示す仰角及び俯角の範囲に照射されるが、後続の大型車両の運転者３には届かない。
【００１３】
本考案の反射板２を取り付けた場合は、尾灯及び制動灯１の光は、反射板２で反射して、５に示す経路で後続の大型車両の運転者３に届くため、運転者がその光を視認することができる。
【産業上の利用可能性】
【００１４】
従来の尾灯及び制動灯の光源、屈折器及び反射器等を改造する必要がないので、既存の車両にも簡便に反射板を付加して適用することができる。
【符号の説明】
【００１５】
１    尾灯及び制動灯
２    反射板
３    後続の大型車両の運転者
４    従来の尾灯及び制動灯の光の照射範囲
５    反射板を経由した光の経路
【図１】
0003214203.tif 000003
(57)【要約】      （修正有）【課題】雨傘を使用した後、しずくが落ちるのを防止し、階段などを濡らさずに済む雨傘を提供する。【解決手段】雨傘を閉じた時しずくが落ちるのを防止する為、石突１の近く又は、石突１にしずく溜４を設ける雨傘であり、直径が１０ｃｍ〜３０ｃｍのしずく溜４を傘の外側に有する。しずく溜４の、中心の穴と傘地の穴と接着され、石突１で固定されていて、さらに反石突側のしずく溜４の外径部分が、親骨３の位置で傘地２と点接着８されている。石突１としずく溜４が一体に形成される。【選択図】図１
0003214181.tif 000002
【実用新案登録請求の範囲】
【請求項１】
雨傘を閉じた時しずくが落ちるのを防止する為、石突の近く又は、石突にしずく溜を設ける雨傘であり、前記石突の近くに設けるしずく溜は、直径が１０ｃｍ〜３０ｃｍのしずく溜を傘の外側に有する雨傘であって、しずく溜の、中心の穴と傘地の穴と接着され、石突で固定されていて、さらに反石突側のしずく溜の外径部分が、親骨の位置で傘地と点接着されている事を、特徴とする雨傘。
【請求項２】
石突に付くしずく溜は、石突としずく溜が一体に形成される、請求項１に記載の雨傘。
【考案の詳細な説明】
【技術分野】
【０００１】  雨傘のしずく防止に関する
【背景の技術】
【０００２】  雨の水滴を除去するのに傘を入れるビニール袋があり、いちいち袋に入れ又、袋を捨てなければならない問題があった。
【考案の概要】
【考案を解決しようとする課題】
【０００３】  雨傘を使用した後、しずくが落ち階段などが濡れてすべりやすく、駅や電車、又、車の中など、しずくが落ちて床などに溜まります、しずくが落ちない事を目的とする。
【課題を解決するための手段】
【０００４】    この考案は、雨傘を閉じた時しずくが落ちるのを防止する為石突の近く又は、石突にしずく溜を設ける、雨傘であり、前記石突の近くに設ける、しずく溜は、直径が１０ｃｍ〜３０ｃｍのしずく溜を傘の外側に有する雨傘であってしずく溜は、中心の穴と傘地の穴の所を、丸く接着石突で固定されてる、さらに、反石突側のしずく溜の外径部分の内面が親骨の位置で傘地と点接着されている雨傘。
【０００５】  石突に付くしずく溜は、石突としずく溜が一体に形成されていて石突に付くしずく溜は、石突の素材と同じ素材で割れにくいものにし、径が３ｃｍ〜４ｃｍで長さが７ｃｍ〜１０ｃｍのキャップ形状にする。
【考案の効果】
【０００６】  ビニール袋がなくても気楽にたたんで持ち歩く事が出来、床を濡らさずに済みます、迷惑でない所で傘を横にして回すか、開いて水を捨てる事ができる。
【図面の簡単な説明】
【０００７】
【図１】  傘を開閉した図
【図２】  石突に付く半割図
【考案を実施する為の形態】
【０００８】  この考案は、雨傘を閉じた時しずくが落ちるのを防止する為、直径が２０ｃｍのしずく溜４を傘の外側に有する雨傘であって、前記しずく溜４は、中心に穴があり、傘地２の穴と二重にして接着５石突１で、固定されている、さらに、反石突側のしずく溜４の外径部分の内面が親骨７の位置で傘地２の外面の部分と点接着８されている。
【０００９】  石突１に付くしずく溜４は、石突１としずく溜４が一体に形成されていて、径が３ｃｍ〜４ｃｍで長さが７ｃｍ〜１０ｃｍのキャップ形状にする。
【００１０】  石突に近いしずく溜４は、溜の外形が丸形や花の形に形成しカラーにして明るくし、点接着８は、しずくが入り易くする為、石突１方向前後に少し位置を移動しても良い、中心の穴は、しずく溜４と傘地２が水漏れのない様にする。
【００１１】  傘を閉めてバンドをすると、傘地２よりしずくが落ちてしずく溜４に水滴が溜まります。
【００１２】  石突に近いしずく溜４は、傘地２、又は、傘地２に類似した素材で、しずくの漏れない素材にする、又、石突１に付くしずく溜４は、一体で割れない素材にする。
【産業上の利用可能性】
【００１３】  生産は簡単で安価、量産可能であり、そのしずく溜が花の形や、カラーにし、宣伝文字も入れられる。
【符号の説明】
【００１４】１          石突（先端）
２          傘地（雨傘用）
３          親骨
４          しずく溜
５          接着部（丸く）
６          上ろくろ
７          取手
８          点接着
【図１】
0003214181.tif 000003
【図２】
0003214181.tif 000004